(57)【要約】【課題】ハンダゴテ等を使用して例えば穴を開けてピアノ線等の異物を遊技機内部に挿入させて行う不正行為を未然に防ぐとともに、この不正行為が行われたという事実を早期に発見することができる遊技機を提供する。【解決手段】当該遊技機の表面を構成する表面構成部材（前面枠１１、ガラス枠１３、前面開閉パネル１５等）における所定部位（例えば連結ユニット６３）の内部に、漏洩することで不正発生の警報として機能する所定物質７１を収納可能な収納領域７０を形成し、前記表面構成部材の所定部位が外部から破壊された場合は、前記収納領域に収納された所定物質が外部に漏洩可能に構成する。【選択図】図６
2007105266.tif 000002
【特許請求の範囲】
【請求項１】
当該遊技機の表面を構成する表面構成部材における所定部位に、漏洩することで不正発生の警報として機能する所定物質を収納可能な収納領域を形成し、
前記表面構成部材の所定部位が外部から破壊された場合は、前記収納領域に収納された所定物質が外部に漏洩可能に構成したことを特徴とする遊技機。
【請求項２】
前記遊技機は、機枠の前面側に開閉可能に軸着される前面枠と、該前面枠の前面側に開閉可能に軸着された前面開閉パネルと、を備え、
前記表面構成部材には、少なくとも前記前面開閉パネルが含まれ、該前面開閉パネルを合成樹脂で成型するとともに、該前面開閉パネルの所定部位に前記収納領域を形成したことを特徴とする請求項１に記載の遊技機。
【請求項３】
前記前面枠は、複数の障害釘を植設するとともに遊技に供された遊技球を入賞可能な複数の入賞領域を設けた遊技盤と、前記遊技盤に設けられた入賞領域に遊技球が入賞することに基づいて排出された遊技球を遊技者側に誘導可能な排出球誘導領域と、を備え、
前記前面開閉パネルは、前記排出球誘導領域によって誘導された遊技球を貯留可能に構成され、該貯留した遊技球を遊技に提供可能な供給皿を有し、
前記収納領域を、前記前面開閉パネルのうち前記供給皿よりも上方に形成し、前記収納領域から漏洩した所定物質を前記供給皿に落下又は流下可能に構成したことを特徴とする請求項２に記載の遊技機。
【請求項４】
前記所定物質は、前記供給皿に落下又は流下すると該供給皿内の遊技球の流れを停止可能な無数の固体で構成されることを特徴とする請求項３に記載の遊技機。
【請求項５】
前記前面開閉パネルは、前記供給皿に遊技球を排出する球排出口と、該球排出口と前記前面枠の排出球誘導領域とを連通させる連通路と、を備え、
前記連通路を前記前面開閉パネルから着脱可能な連結ユニットで構成すると共に、該連結ユニットに前記収納領域を形成したことを特徴とする請求項３から請求項４の何れか一つに記載の遊技機。
【請求項６】
前記連結ユニットの外周面に、前記収納領域が破壊された後に外部から挿入される異物が遊技機内部に侵入することを防止する異物侵入阻止部材を配設したことを特徴とする請求項５に記載の遊技機。
【請求項７】
前記収納領域は、前記所定物質を内包する物質内包部材と、該物質内包部材を収納するための収納部と、から構成され、
前記収納部が破壊されることに伴って前記物質内包部材が破壊され、所定物質が外部に漏洩するように構成したことを特徴とする請求項１から請求項６の何れか一つに記載の遊技機。
【請求項８】
前記所定物質は、異臭を放つ液体で構成したことを特徴とする請求項１から請求項７の何れか一つに記載の遊技機。
【請求項９】
前記所定物質は、前記収納領域から外部に漏洩する場合には液体化された状態で漏洩し、該液体化された状態で外気に触れると凝固して固体化されることを特徴とする請求項１から請求項７の何れか一つに記載の遊技機。
【請求項１０】
前記所定物質は、粘着性又は接着性を有する液体で構成したことを特徴とする請求項１から請求項７の何れか一つに記載の遊技機。
【発明の詳細な説明】
【技術分野】
【０００１】
本発明は、パチンコ機などの遊技機に関する。
【背景技術】
【０００２】
従来、パチンコ機等の遊技機の遊技盤には、例えば、変動表示ゲームの結果によって大入賞口を開放するサイクル遊技（大当たり遊技）を行う変動入賞装置が備えられている。この変動入賞装置の大入賞口は、遊技盤の前面側に配置されており、この大入賞口を開閉する電気的駆動源（例えば、ソレノイドなど）は、遊技盤の裏面側に配設されている。そのため、上記電気的駆動源は、遊技盤の裏面側から操作可能である場合が多い。
【０００３】
また、従来の遊技機は、遊技島側に固定される機枠に対して、遊技盤が取り付けられる前面枠を開閉可能に軸着するとともに、ガラス枠（透明部材としてのガラスを保持する透明部材保持枠）を前記前面枠に対して開閉可能に軸着し、ガラス（透明部材）を介して遊技盤の遊技領域を視認可能にして遊技を行えるようにしていた。また、遊技盤を収納した前記前面枠の前側（ガラス枠の下方）に、上皿（遊技機から貸球又は賞球として排出された遊技球を貯留し遊技に使用すべく遊技機に供給する供給皿）を備えた前面開閉パネルが一側端を軸心として開閉自在に取り付けられる一方、前面枠の裏側に、球排出装置（貸球又は賞球を排出する装置）が配設された裏機構盤が同じく一側端を軸心として回動自在に取り付けられて、これら前面開閉パネル及び裏機構盤を閉じた状態において、上皿と球排出装置とを連通させる球供給路が連結部で連結される構成であった。このため、前記連結部には隙間が生じ易かった。そのため、例えばこれを悪用して、球供給路の連結部に形成される隙間からセル板やピアノ線などを挿入すると共に、この挿入したセル板などで遊技盤の裏面側に配設される前記電気的駆動源などを操作し、例えば大入賞口を開放することによって、不正に多くの賞球を獲得している者がいた。
【０００４】
このような不正行為を防止するため、特許文献１に見られるように、球供給路の連結部に、いわゆる忍び返しと呼ばれる段差を設け、その段差によってセル板などの挿入を防ぐものが開発されている。
しかし、忍び返しと呼ばれる段差を設けたとしても、球供給路の連結部に隙間ができてしまうことには変わりない。このため、球供給路の連結部において、セル板やピアノ線などの挿入を防ぐだけでは、自ずと限界があり、より確実な不正防止策が望まれていた。
そこで、球供給路の連結部から挿入したセル板などにより、遊技盤の裏面側から変動入賞装置等を操作することを困難にして、変動入賞装置の大入賞口を不正に開放して多くの賞球を獲得するといった不正行為を防止することが可能な遊技機が提案された。
【０００５】
【特許文献１】特開２０００−４２２１７号公報
【発明の開示】
【発明が解決しようとする課題】
【０００６】
また、近年の不正行為では、球供給路の連結部にセル板などを挿入するのではなく、前記前面開閉パネル等が装飾性向上などのためにプラスチック製とされていることをいいことに、ハンダゴテ等を使用して球供給路に対して直接に穴を空け、例えば、そこからピアノ線等を挿入して変動入賞装置の大入賞口近傍に植設された障害釘を曲げて、該大入賞口へ入賞する遊技球数が極端に多くなるように細工して大当り発生時の賞球数を不正に操作するというものも発見されている。
しかしながら、このような不正行為を行われた場合、従来のパチンコ機等の遊技機では、その不正行為が行われたことを検出するような設備を設けることは困難であった。
すなわち、パチンコ機等の遊技機は、遊技店の営業形態に応じて障害釘の植設状態を調整することによって入賞口への遊技球の入賞数を調節するものであり、例えば、障害釘が曲げられたことを検出するセンサ等を設けることはできなかった。
【０００７】
また、その遊技機を長期間使用した場合、耐久性が低下して障害釘が曲がってしまうという現象も発生し兼ねないので、上記のようなセンサを設けても不正行為によって障害釘が曲げられたのか、或いは耐久性の低下によって障害釘が曲がってしまったのかを判断することは容易ではなく、事実無根の遊技者に有らぬ疑いを抱いてしまう危険性が発生してしまうことになる。
そこで本発明は、ハンダゴテ等を使用して例えば穴を開けてピアノ線等の異物を遊技機内部に挿入させて行う不正行為を未然に防ぐとともに、この不正行為が行われたという事実を早期に発見することができる遊技機を提供することを目的とする。
【課題を解決するための手段】
【０００８】
本願請求項１に記載の遊技機は、当該遊技機の表面を構成する表面構成部材における所定部位に、漏洩することで不正発生の警報として機能する所定物質を収納可能な収納領域を形成し、
前記表面構成部材の所定部位が外部から破壊された場合は、前記収納領域に収納された所定物質が外部に漏洩可能に構成したことを特徴とする。
ここで、「表面構成部材」とは、例えばパチンコ機における前面枠、ガラス枠、前面開閉パネル等を意味する。また「所定部位」とは、例えばハンダゴテ等によって穴を開けてピアノ線等をそこから挿入することによって、遊技機を不正に操作する不正行為が行われる可能性のある箇所を意味する。また、「破壊」とは、ハンダゴテ等によって穴が開けられるなどの不正工作によるものを意味する。
【０００９】
また、請求項２に記載のように、前記請求項１に記載の遊技機において、前記遊技機は、機枠の前面側に開閉可能に軸着される前面枠と、該前面枠の前面側に開閉可能に軸着された前面開閉パネルと、を備え、
前記表面構成部材には、少なくとも前記前面開閉パネルが含まれ、該前面開閉パネルを合成樹脂で成型するとともに、該前面開閉パネルの所定部位に前記収納領域を形成したことを特徴とする。
【００１０】
また、例えば請求項３に記載のように、前記請求項２に記載の遊技機において、前記前面枠は、複数の障害釘を植設するとともに遊技に供された遊技球を入賞可能な複数の入賞領域を設けた遊技盤と、前記遊技盤に設けられた入賞領域に遊技球が入賞することに基づいて排出された遊技球を遊技者側に誘導可能な排出球誘導領域と、を備え、
前記前面開閉パネルは、前記排出球誘導領域によって誘導された遊技球を貯留可能に構成され、該貯留した遊技球を遊技に提供可能な供給皿を有し、
前記収納領域を、前記前面開閉パネルのうち前記供給皿よりも上方に形成し、前記収納領域から漏洩した所定物質を前記供給皿に落下又は流下可能に構成してもよい。ここで、「落下」とは、供給皿に直接落ちることを意図し、「流下」とは、供給皿以外に落下した後に供給皿に流れることを意図している。
また、例えば請求項４に記載のように、前記請求項３に記載の遊技機において、前記所定物質は、前記供給皿に落下又は流下すると該供給皿内の遊技球の流れを停止可能な無数の固体で構成されてもよい。
【００１１】
また、例えば請求項５に記載のように、請求項３から請求項４の何れか一つに記載の遊技機において、前記前面開閉パネルは、前記供給皿に遊技球を排出する球排出口と、該球排出口と前記前面枠の排出球誘導領域とを連通させる連通路と、を備え、
前記連通路を前記前面開閉パネルから着脱可能な連結ユニットで構成すると共に、該連結ユニットに前記収納領域を形成した構成でもよい。
また、例えば請求項６に記載のように、請求項５に記載の遊技機において、前記連結ユニットの外周面に、前記収納領域が破壊された後に外部から挿入される異物が遊技機内部に侵入することを防止する異物侵入阻止部材を配設した構成でもよい。
【００１２】
また、例えば請求項７に記載のように、請求項１から請求項６の何れか一つに記載の遊技機において、前記収納領域は、前記所定物質を内包する物質内包部材と、該物質内包部材を収納するための収納部と、から構成され、
前記収納部が破壊されることに伴って前記物質内包部材が破壊され、所定物質が外部に漏洩する構成でもよい。
【００１３】
また、例えば請求項８に記載のように、請求項１から請求項７の何れか一つに記載の遊技機において、前記所定物質は、異臭を放つ液体で構成してもよい。
また、例えば請求項９に記載のように、請求項１から請求項７の何れか一つに記載の遊技機において、前記所定物質は、前記収納領域から外部に漏洩する場合には液体化された状態で漏洩し、該液体化された状態で外気に触れると凝固して固体化される構成でもよい。
また、例えば請求項１０に記載のように、請求項１から請求項７の何れか一つに記載の遊技機において、前記所定物質は、粘着性又は接着性を有する液体で構成してもよい。
【発明の効果】
【００１４】
請求項１に記載の遊技機によれば、表面構成部材の所定部位に漏洩することで不正発生の警報として機能する所定物質を収納可能な収納領域を形成し、表面構成部材の所定部位が外部から破壊された場合は、収納領域に収納された所定物質が外部に漏洩可能に構成したので、ピアノ線やセル板等の異物を遊技機内部に挿入させるために、表面構成部材を外部から破壊した場合は、収納領域に収納された物質が外部に漏洩して不正行為が行われたという事実を早期に発見することができる。
また、収納領域に収納された物質が外部に漏洩することにより、不正行為者を驚愕させてその不正行為を行うこと自体を阻止することができる。
【００１５】
また同様に、請求項２に記載の遊技機によれば、表面構成部材には、少なくとも前面開閉パネルが含まれ、該前面開閉パネルを合成樹脂で成型するとともに、該前面開閉パネルの所定部位に収納領域を形成したので、ピアノ線やセル板等の異物を遊技機内部に挿入させるために、前面開閉パネルを外部から破壊した場合は、収納領域に収納された物質が外部に漏洩して不正行為が行われたという事実を早期に発見することができる。
また、収納領域に収納された物質が外部に漏洩することにより、不正行為者を驚愕させてその不正行為を行うこと自体を阻止することができる。
なお、前面開閉パネルを合成樹脂で成型すると、ハンダゴテ等による不正工作がされ易いので、有用性が高い。
【００１６】
また請求項３に記載の遊技機によれば、前面枠は、複数の障害釘を植設するとともに遊技に供された遊技球を入賞可能な複数の入賞領域を設けた遊技盤と、遊技盤に設けられた入賞領域に遊技球が入賞することに基づいて排出された遊技球を遊技者側に誘導可能な排出球誘導領域と、を備え、前面開閉パネルは、排出球誘導領域によって誘導された遊技球を貯留可能に構成され、該貯留した遊技球を遊技に提供可能な供給皿を設け、収納領域を、前面開閉パネルのうち供給皿よりも上方に形成し、収納領域から漏洩した所定物質を供給皿に落下又は流下可能に構成したので、収納領域から漏洩した物質が供給皿上に広がり、不正行為が行われたという事実を容易に発見することができる。
また請求項４に記載の遊技機によれば、所定物質は、供給皿に落下又は流下すると該供給皿内の遊技球の流下を停止可能な無数の固体で構成されるので、無数の固体物質によって供給皿に遊技球が流下し難くなり、遊技を続行するためにはそれらを掃除して除去しなければならないために続行が困難になり、不正行為が行われた事実を早期に発見することができる。
【００１７】
また請求項５に記載の遊技機によれば、前面開閉パネルは、供給皿に遊技球を排出する球排出口と、該球排出口と前面枠の排出球誘導領域とを連通させる連通路と、を備え、連通路を前面開閉パネルから着脱可能な連結ユニットで構成すると共に、該連結ユニットに収納領域を形成したので、不正行為が行われた箇所の修復作業が連結ユニットを交換するだけの極めて容易なものとなり、その遊技機の再使用を容易に行うことができる。
また、不正行為が行われて収納領域から漏洩した物質が供給皿上で広がった場合であっても、連結ユニットを交換するだけで大掛かりな交換作業や掃除を行う必要がないように構成することができる。
また請求項６に記載の遊技機によれば、連結ユニットの外周面に、収納領域が破壊された後に外部から挿入される異物が遊技機内部に侵入することを防止する異物侵入阻止部材を配設したので、不正行為が行われた事実を早期かつ容易に発見することができるのみならず、不正行為によって遊技店が被る損害を未然かつ確実に防ぐことができる。
【００１８】
また請求項７に記載の遊技機によれば、収納領域は、所定物質を内包する物質内包部材と、該物質内包部材を収納するための収納部と、から構成され、収納部が破壊されることに伴って物質内包部材が破損され、所定物質が外部に漏洩するように構成したので、収納部を外部から破壊した場合は、物質内包部材に収納された物質が外部に漏洩して不正行為が行われたという事実を早期に発見することができる。また、物質内包部材ごと所定物質を収納部に装着することによって、所定物質の充填が容易に可能であるという利点もある。
また請求項８に記載の遊技機によれば、所定物質は、異臭を放つ液体で構成したので、その液体が発する匂いによっても不正行為が行われた事実を発見することができ、その不正行為が行われた事実を早期に発見することができるようになる。
【００１９】
また請求項９に記載の遊技機によれば、所定物質は、収納領域から外部に漏洩する場合には液体化された状態で漏洩し、該液体化された状態で外気に触れると凝固して固体化されるので、この固体化された物質によって不正行為が行われた事実を発見することができ、その不正行為が行われた事実を早期に発見することができるようになる。また、請求項３に記載の態様の場合には、固体化された物質によって供給皿に遊技球が流下し難くなり、遊技を続行することが容易でなくなることから不正行為が行われた事実をより早期に発見することができる。
また請求項１０に記載の遊技機によれば、所定物質は、粘着性又は接着性を有する液体で構成したので、この粘着性又は接着性を有する液体によって不正行為が行われた事実を発見することができ、その不正行為が行われた事実を早期に発見することができるようになる。また、請求項３に記載の態様の場合には、遊技球に粘着性又は接着性の物質が纏わり着くことによって供給皿に遊技球が流下し難くなり、遊技を続行することが容易でなくなることから不正行為が行われた事実をより早期に発見することができる。
【発明を実施するための最良の形態】
【００２０】
以下、本発明の実施の形態として、パチンコ装置に適用した場合の形態例を、図面を参照して説明する。
（第１形態例）
まず、第１形態例を説明する。
Ａ．パチンコ装置の正面構成及び全体構造
まず図１及び図２により、本例のパチンコ装置の正面構成及び全体構造について説明する。図１は、パチンコ機の正面図であり、図２は、前面枠とガラス枠と前面開閉パネルを開けた状態を示す斜視図である。
このパチンコ装置は、例えば、いわゆるＣＲ機（カードリーディング機）と称されるもので、大きく分けてパチンコ機２（遊技機本体）と、カード式球貸機（図示省略）とによって構成され、これらが対をなして設置される。カード式球貸機には、カードリーダライタが内蔵され、前面には磁気カード又はＩＣカードなどのカードが挿入されるカード挿入口等が設けられている。
【００２１】
パチンコ機２は、前面枠１１がこの前面枠１１の裏面側に配された機枠１２に対して開閉自在に軸着され、遊技領域が形成された遊技盤（図示省略）は、この前面枠１１の上側の遊技盤収納部１１ａに取付けられる。また、この前面枠１１には、その前面上側を覆うようにガラス枠１３（透明部材保持枠）が開閉自在に取付けられ、このガラス枠１３により保持されるガラス板１４（透明のプラスチックボードでもよい）を介して遊技盤の後述する遊技領域３３が視認可能となっている。なお、ガラス枠１３は、前面枠１１に開閉可能に軸着されている。
また、このガラス枠１３の下側には、前面開閉パネル１５が配置され、前面枠１１に対して開閉自在に軸着されている。さらに、この前面開閉パネル１５の下側には、操作パネル１６が前面枠１１に対して通常は固定状態に設けられている。
【００２２】
また、遊技盤（図示省略）は、板状の基材の前面に障害釘を植設したもので、この遊技盤の前面には、球を上方から落下させつつアウトあるいはセーフの判定（入賞したか否かの判定）を行う領域（遊技領域）が形成され、入賞口などの入賞領域に遊技球が入って有効にセーフとなる場合は、所定数の遊技球が前面開閉パネル１５に設けられた上皿１７（供給皿）に排出される（即ち、賞球として排出される）構成となっている。
前面枠１１の開閉側（図１において右側）の縁部には、前面枠１１及びガラス枠１３の施錠装置（図示省略）の鍵挿入部２１が形成されている。
【００２３】
また、前面開閉パネル１５に設けられた上皿１７は、賞球として又は貸球として排出された発射前の遊技球を一時保持し、これら遊技球を前面枠１１の裏面下側に設けられた発射装置（図示省略）への球送り装置２２（図２及び図４に示す）に順次供給するもので、この上皿１７には、上皿１７の遊技球を後述の下皿２６に移す玉通路開閉用の上皿球抜きレバー２４が設けられている。また、上皿１７の前面（上皿球抜きレバー２４の横）には、前述のカード式球貸機から貸球の排出を行うための球貸スイッチ２３ａと、カード式球貸機からカードの排出を行うためのカード返却スイッチ２３ｂと、カード残高を表示する表示器２３ｃが配設されている（図３参照）。
【００２４】
また、操作パネル１６には、灰皿２５と、下皿２６と、下皿２６に貯留された球を外部下方に抜くための下皿球抜きレバー２７と、前記発射装置の操作を行う発射操作ハンドル２８とが設けられている。
また、図２において符号１８で示すものは、前面枠１１の裏側に設けられた裏機構盤であり、図２において符号１９で示すものは、裏機構盤１８の上部に設けられた球貯留タンクである。パチンコ機２を設置する島設備側から適宜供給される遊技球がこの球貯留タンクに貯留され、この球貯留タンク内の遊技球が、パチンコ機２における賞球として又は貸球として排出される。そして、こうして排出された遊技球は、前面枠１１の下部（遊技盤収納部１１ａの底辺付近）に設けられた排出球誘導領域２０（この場合矩形状の遊技球流路開口部）を経由して遊技者側（上皿１７の方）に誘導される構成となっている。
【００２５】
Ｂ．前面開閉パネルの構成
次に、前面開閉パネル１５の構成を説明する。
図３は、前面開閉パネル１５の斜視図であり、図４は、前面開閉パネル１５の裏面斜視図であり、図５は、後述する連結ユニット６３の正面図である。
前面開閉パネル１５は、パネル本体６１と、このパネル本体６１の前面に取り付けられる前面板６２と、パネル本体６１の裏面右側（正面から見て左側）に取り付けられる連結ユニット６３と、を備える。なお、パネル本体６１や前面板６２や連結ユニット６３は、合成樹脂によって形成されている。また、前述の球送り装置２２は、図４に示す如く、パネル本体６１の裏面左側に取り付けられる。また、上皿１７（供給皿）は、前面板６２の前面に例えば合成樹脂の一体成形によって形成されている。
【００２６】
この前面開閉パネル１５のパネル本体６１と前面板６２には、上皿１７内に遊技球を排出する球排出口６４が形成されている。そして図４に示すように、連結ユニット６３は、この球排出口６４に対して取付部材６５によって取り付けられ、その内部の空間が、前記球排出口６４と排出球誘導領域２０とを連通させる連通路６３ａを構成している。即ち、前面開閉パネル１５を閉じた通常状態では、連結ユニット６３の前面側が球排出口６４に接続され、連結ユニット６３の裏面側が排出球誘導領域２０に接続され、連結ユニット６３を介して球排出口６４と排出球誘導領域２０とが連通する構成（即ち、排出球誘導領域２０から流出する遊技球が連結ユニット６３内（連通路６３ａ）を経由して球排出口６４から上皿１７内に排出される構成）となっている。
なお、連結ユニット６３は、ワンタッチで取付け取外し可能な取付部材６５によって、容易に前面開閉パネル１５に対して着脱可能となっている。
また、本例の遊技機に対して行われ易い不正としては、前面開閉パネル１５（特に、球排出口６４内の上側、即ち連結ユニット６３の上部）に穴を開け、この穴からピアノ線等を差し込むことによって、特別変動入賞装置３５の開閉扉３５ａや普通変動入賞装置３６の開閉部材３６ａを無理やり開ける不正、或いは、普通変動入賞装置３６の上方近傍の障害釘を無理やり曲げる不正があり得る。
【００２７】
Ｃ．収納領域の構成等
次に、所定物質の収納領域の構成等を説明する。
図６は、図５におけるＡ−Ａ´断面図であり、このうち図６（ａ）は不正が行われていない状態を示し、図６（ｂ）は不正工作（不正の準備作業）が行われている状態を示している。
図６に示すように、本例の場合、連結ユニット６３の内部上側（上皿１７の底面よりも上方）に、収納領域７０が形成されている。収納領域７０は、所定物質７１を内包する物質内包部材７２と、該物質内包部材７２を収納するための収納部７３と、から構成されている。
【００２８】
ここで、収納部７３は、連結ユニット６３の一部であり、内側に物質内包部材７２を収納する空間を形成する箱型部分である。この場合、この収納部７３は、図６に示すように裏側に開口しており、物質内包部材７２を裏側から容易に脱着できる構成となっている。また、物質内包部材７２は容易に破れる薄い袋状のもので、収納部７３が外部から破壊されることに伴って、この物質内包部材７２が破壊され、所定物質７１が外部に漏洩する構成となっている。特に本例の場合には、図６（ｂ）に示すように、収納領域７０から漏洩した所定物質７１は連結ユニット６３内（連通路６３ａ）の底部に落下し、供給皿である上皿１７内にも流下する構成となっている。
次に、所定物質７１は、漏洩することで不正発生の警報（不正行為者への威嚇含む）として機能する物質であり、この場合異臭を放つ液体（例えば、人体に対する有害性を適度に抑制すべく濃度を調整したアンモニア水、又はピリジンなど）である。なお、異臭を放つ液体としては、常温では異臭を発生しないが、遊技機で発生する熱によって異臭を発するものであってもよい。
【００２９】
なお図６（ｂ）は、球排出口６４（連結ユニット６３の前面側）からハンダゴテＧ等を差し込んで穴を空けられ、この穴からピアノ線や針金等を差し込まれて遊技機の内部や遊技盤上に対して行われる不正を示している。具体的な不正の内容は、特に遊技盤前面側にピアノ線等を差し込み、入賞口への球の入賞率を調整している障害釘を極端に曲げることによって入賞口へ極端に球が入賞するようにしてしまう不正や、大入賞口をピアノ線等で強引に開放させてそこに球を入賞させてしまう不正等があり得る。
ところが本例の構成であれば、球排出口６４の内部上方（連結ユニット６３の上部）に、所定物質７１（前記液体）を収納した物質内包部材７２が収納されているので、ハンダゴテＧ等で球排出口６４の内部上方に穴を空けた場合、図６（ｂ）に示すように、中から異臭を放つ液体が排出されて、匂いと目視によって不正が行われた事実が早期に発見される。
【００３０】
以上説明した本例の遊技機によれば、前面開閉パネル１５の所定部位（連結ユニット６３）に所定物質７１を収納可能な収納領域７０を形成し、前面開閉パネル１５の所定部位が外部から破壊された場合は、これに伴って収納領域７０が破壊され、収納領域７０に収納された所定物質７１が外部に漏洩可能に構成したので、ピアノ線やセル板等の異物を遊技機内部に挿入させるために、前面開閉パネル１５の所定部位を外部から破壊した場合は、収納領域７０に収納された物質７１が外部に漏洩して不正行為が行われたという事実を早期に発見することができる。
また、収納領域７０に収納された物質７１が外部に漏洩することにより、不正行為者を驚愕させてその不正行為を行うこと自体を阻止することができる。
【００３１】
また本例の遊技機によれば、収納領域７０を、前面開閉パネル１５のうち上皿１７（供給皿）よりも上方に形成し、収納領域７０から漏洩した所定物質７１を上皿１７に落下又は流下可能に構成したので、収納領域７０から漏洩した物質７１が上皿１７上に広がり、不正行為が行われたという事実を容易に発見することができる。
【００３２】
また本例の遊技機によれば、前面開閉パネル１５は、上皿１７に遊技球を排出する球排出口６４と、該球排出口６４と前面枠１１の排出球誘導領域２０とを連通させる連通路６３ａと、を備え、連通路６３ａを前面開閉パネル１５から着脱可能な連結ユニット６３で構成すると共に、該連結ユニット６３に収納領域７０を形成したので、不正行為が行われた箇所の修復作業が連結ユニット６３を交換するだけの極めて容易なものとなり、その遊技機の再使用を容易に行うことができる。
また、不正行為が行われて収納領域７０から漏洩した物質７１が上皿１７上で広がった場合であっても、連結ユニット６３を交換するだけで大掛かりな交換作業や掃除を行う必要がないように構成することができる。
【００３３】
また本例の遊技機によれば、収納領域７０は、所定物質７１を内包する物質内包部材７２と、該物質内包部材７２を収納するための収納部７３と、から構成され、収納部７３が破壊されることに伴って物質内包部材７２が破損され、所定物質７１が外部に漏洩するように構成したので、収納部７３を外部から破壊した場合は、物質内包部材７２に収納された物質が外部に漏洩して不正行為が行われたという事実を早期に発見することができる。また、物質内包部材７２ごと所定物質７１を収納部７３に装着することによって、所定物質７１の充填が容易に可能であるという利点もある。
また本例の遊技機によれば、所定物質７１は、異臭を放つ液体で構成したので、その液体が発する匂いによっても不正行為が行われた事実を発見することができ、その不正行為が行われた事実を早期に発見することができるようになる。
また、物質内包部材７２に所定物質７１としての液体を収納しているため、その液体によってハンダゴテＧやピアノ線等が冷却されて穴を空けるのに時間がかかるので、穴を空けづらくすることができ、その点でも不正を阻止できるという効果もある。
【００３４】
（第２形態例）
次に、第２形態例を図７によって説明する。なお、第１形態例と同様の構成要素については同符号を使用して重複する説明を省略する（後述する他の形態例も同様）。
図７は、図５におけるＡ−Ａ´断面図であり、このうち図７（ａ）は不正が行われていない状態を示し、図７（ｂ）は不正工作が行われている状態を示している。
本例では、連結ユニット６３の上部（収納部７３の上方）に異物侵入阻止部材７４（鉄板）を設けた点が、第１形態例（図６）と異なる。このように構成することで、ハンダゴテＧ等で穴を空けてもこの異物侵入阻止部材７４によってそれ以上穴を空けられることを防止することができる。さらに、物質内包部材７２から液体が排出される（漏れる）ので、不正が行われた事実も早期に発見することができる。
このため本例によれば、不正行為が行われた事実を早期かつ容易に発見することができるのみならず、不正行為によって遊技店が被る損害を未然かつ確実に防ぐことができる。
【００３５】
（第３形態例）
次に、第３形態例を図８によって説明する。
図８は、図５におけるＡ−Ａ´断面図であり、このうち図８（ａ）は不正が行われていない状態を示し、図８（ｂ）は不正工作が行われている状態を示している。
本例では、物質内包部材内７２には、鉄等で構成した粒状の固体よりなる所定物質７１ａが収納されている。連結ユニット６３に穴が空けられると、この固体（所定物質７１ａ）が排出されて不正が行われた事実を発見し易くすることができ、また、この固体によって遊技球の流れが止められるので、より一層、不正が行われたことが発見し易くなる。即ち本例によれば、所定物質７１ａ（無数の固体物質）が上皿１７に落下又は流下すると、これら無数の固体物質によって上皿１７に遊技球が流下し難くなり、遊技を続行するためにはそれらを掃除して除去しなければならないために続行が困難になり、不正行為が行われた事実を早期に発見することができる。
【００３６】
なお、上記所定物質７１ａを構成する粒は、内部に液体を収納しその周囲を固体で包むような物体（例えば、商品名でブレスケアと呼ばれるもの、或いは薬入りのカプセルのようなもの）であってもよい。このようにすれば、粒の中に液体が包み込まれているために、第１実施例と同様に異臭を放つ液体を包むこともでき、匂いによっても不正を発見したり防止したりできるようになる。また、液体を含む所定物質７１ａによってハンダゴテＧやピアノ線等が冷却されて穴を空けるのに時間がかかるので、穴を空けづらくすることができ、その点でも不正を阻止できるという効果もある。
【００３７】
なお、本発明は上述した形態例に限られず、各種の変形や応用があり得る。
例えば、本発明の所定物質として、収納領域から外部に漏洩する場合には液体化された状態で漏洩し、外気に触れると凝固（固体化）する液体（例えば、ロウ等）を用いてもよい。この場合、この固体化された物質によって不正行為が行われた事実を発見することができ、その不正行為が行われた事実を早期に発見することができるようになる。また、第１形態例のように所定物質が供給皿に落下又は流下する態様とした場合には、上記固体化された物質によって供給皿に遊技球が流下し難くなり、遊技を続行することが容易でなくなることから不正行為が行われた事実をより早期に発見することができる。
【００３８】
また、本発明の所定物質を、粘着性又は接着性を有する液体（例えば、でんぷん糊等）で構成してもよい。この場合、この粘着性又は接着性を有する液体によって不正行為が行われた事実を発見することができ、その不正行為が行われた事実を早期に発見することができるようになる。また、第１形態例のように所定物質が供給皿に落下又は流下する態様とした場合には、遊技球に上記粘着性又は接着性の液体が纏わり着くことによって供給皿に遊技球が流下し難くなり、遊技を続行することが容易でなくなることから不正行為が行われた事実をより早期に発見することができる。
【００３９】
また、連結ユニット６３に収納領域７０や物質内包部材７２を配設する態様に限らず、不正に穴を空けられそうな箇所（例えば、前面板６２）の所要部位に配設するようにしてもよい。
また、複数の収納領域を重畳させて形成し、複数の所定物質をそれぞれの収納領域に収納するようにしてもよい。例えば、前面側の収納領域には異臭を放つ液体、裏面側の収納領域には、接着性の液体を収納するようにすれば、穴が空けられた場合に、まず、異臭を放つ液体が漏洩して匂いと目視によって不正が行われたことを発見でき、さらには、接着性の液体によって不正を行うための道具（ハンダゴテ等）を接着してその場から持ち去れないようにできるので、不正行為をより確実に防止することができるとともに、不正行為が行われた痕跡を確実に残すことができる。
また上記形態例では、収納領域を設ける表面構成部材として、前面開閉パネルを例に挙げたが、これに限られず、例えばガラス枠や前面枠などに設けてもよい。
【００４０】
また、今回開示された実施の形態はすべての点で例示であって制限的なものではないと考えられるべきである。本発明の範囲は上記した説明ではなくて特許請求の範囲によって示され、特許請求の範囲と均等の意味及び範囲内でのすべての変更が含まれることが意図される。
【図面の簡単な説明】
【００４１】
【図１】パチンコ機の正面図である。
【図２】パチンコ機の前面枠とガラス枠と前面開閉パネルを開けた状態を示す斜視図である。
【図３】前面開閉パネルの斜視図である。
【図４】前面開閉パネルの裏面斜視図である。
【図５】連結ユニットの正面図である。
【図６】図５におけるＡ−Ａ´断面図であり、（ａ）は不正が行われていない状態を示し、（ｂ）は不正工作が行われている状態を示している。
【図７】図５におけるＡ−Ａ´断面図（第２形態例）であり、（ａ）は不正が行われていない状態を示し、（ｂ）は不正工作が行われている状態を示している。
【図８】図５におけるＡ−Ａ´断面図（第３形態例）であり、（ａ）は不正が行われていない状態を示し、（ｂ）は不正工作が行われている状態を示している。
【符号の説明】
【００４２】
２  遊技機
１１  前面枠（表面構成部材）
１３  ガラス枠（表面構成部材）
１５  前面開閉パネル（表面構成部材）
１６  操作パネル（表面構成部材）
１７  上皿（供給皿）
２０  排出球誘導領域
６３  連結ユニット
６３ａ  連通路
６４  球排出口
７０  収納領域
７１，７１ａ  所定物質
７２  物質内包部材
７３  収納部
７４  異物侵入阻止部材
【図１】
2007105266.tif 000003
【図２】
2007105266.tif 000004
【図３】
2007105266.tif 000005
【図４】
2007105266.tif 000006
【図５】
2007105266.tif 000007
【図６】
2007105266.tif 000008
【図７】
2007105266.tif 000009
【図８】
2007105266.tif 000010